(57)【要約】【課題】回路の電源消費を抑えて、長期間未使用状態であっても、運転開始時に満充電状態と同等又は充電量の低減を抑えた状態として、運転時間を確保する。【解決手段】掃除機本体１と、掃除機本体１に接続された操作部３と、操作部３の複数の運転スイッチＳＷ１，ＳＷ２と、掃除機本体１内の電動送風機９と、電動送風機９の回転数を制御する制御基板４と、制御基板４のマイコンと、制御基板４及び電動送風機９に電力を供給する充電式の電池７と、を備え、マイコンをＯＦＦした待機状態に複数の運転スイッチＳＷ１，ＳＷ２のいずれかが押下された場合、制御基板４と電池７とが接続された状態となりマイコンが起動し、押下された運転スイッチＳＷ１，ＳＷ２に対応した押下信号をマイコンの単一ポートによりアナログ値で取り込む。【選択図】図４
2017189478.tif 000002
【特許請求の範囲】
【請求項１】
掃除機本体と、
該掃除機本体に接続された操作部と、
該操作部の複数の運転スイッチと、
前記掃除機本体内の電動送風機と、
該電動送風機の回転数を制御する制御基板と、
該制御基板のマイコンと、
該制御基板及び前記電動送風機に電力を供給する充電式の電池と、を備え、
前記マイコンをＯＦＦした待機状態に複数の前記運転スイッチのいずれかが押下された場合、前記制御基板と前記電池とが接続された状態となり前記マイコンが起動し、押下された前記運転スイッチに対応した押下信号を前記マイコンの単一ポートによりアナログ値で取り込むことを特徴とする電気掃除機。
【請求項２】
掃除機本体と、
該掃除機本体に接続された操作部と、
該操作部のスライドボリュームスイッチと、
前記掃除機本体内の電動送風機と、
該電動送風機の回転数を制御する制御基板と、
該制御基板のマイコンと、
該制御基板及び前記電動送風機に電力を供給する充電式の電池と、を備え、
前記マイコンをＯＦＦした待機状態に複数の前記スライドボリュームスイッチが操作された場合、前記制御基板と前記電池とが接続された状態となり前記マイコンが起動し、前記スライドボリュームスイッチの操作に対応した押下信号を前記マイコンの単一ポートによりアナログ値で取り込むことを特徴とする電気掃除機。
【発明の詳細な説明】
【技術分野】
【０００１】
本発明は、電気掃除機に関する。
【背景技術】
【０００２】
本技術分野の背景技術として、特開２００５−１６８９７７（特許文献１）がある。特許文献１の要約欄には、「電気掃除機制御手段３５は、電圧測定部の測定値Ａと電流測定部の測定値Ｂとに基づいて操作部１２のモード選択指示手段１２ａ〜１２ｃの何れかが操作者により選択指示されたかを決定し、この選択指示に基づいて電動送風機８及び電圧変換回路１８を含む各部を制御する。」と記載がある。
【先行技術文献】
【特許文献】
【０００３】
【特許文献１】特開２００５−１６８９７７号公報
【発明の概要】
【発明が解決しようとする課題】
【０００４】
特許文献１は、キャニスタ型の掃除機であって、手元操作部の複数のスイッチ信号を２線式で制御する構成としている。
【０００５】
また、従来はスイッチ押下信号を電圧検知回路で検出するために、検出回路用の電源を直流電源あるいはリチウムイオン電池等の二次電池から常に供給していた。しかし従来の構成では、二次電池の容量が限られているにもかかわらず、掃除機本体を運転せずに停止した状態、すなわち使用していない状態であっても電池から消費電流が流れてしまう。結果として、掃除機本体の運転開始時（使用開始時）、電池容量がある程度消費した状態であるため、満充電後すぐに運転する場合に比べて運転時間が短くなり、十分な時間掃除ができないおそれがあった。
【０００６】
そこで本発明は、回路の電源消費を抑えて、長期間未使用状態であっても、運転開始時に満充電状態と同等又は充電量の低減を抑えた状態として、運転時間を確保することを目的とする。
【課題を解決するための手段】
【０００７】
上記課題を解決するために、本発明は、掃除機本体と、該掃除機本体に接続された操作部と、該操作部の複数の運転スイッチと、前記掃除機本体内の電動送風機と、該電動送風機の回転数を制御する制御基板と、該制御基板のマイコンと、該制御基板及び前記電動送風機に電力を供給する充電式の電池と、を備え、前記マイコンをＯＦＦした待機状態に複数の前記運転スイッチのいずれかが押下された場合、前記制御基板と前記電池とが接続された状態となり前記マイコンが起動し、押下された前記運転スイッチに対応した押下信号を前記マイコンの単一ポートによりアナログ値で取り込む。
【発明の効果】
【０００８】
本発明によれば、回路の電源消費を抑えて、長期間未使用状態であっても、運転開始時に満充電状態と同等又は充電量の低減を抑えた状態として、運転時間を確保することができる。
【図面の簡単な説明】
【０００９】
【図１】本発明の実施例に係る電気掃除機の全体を示す斜視図であって、把持部の連結部が本体に収納され状態の図である。
【図２】本発明の実施例に係る電気掃除機の全体を示す斜視図であって、把持部の連結部が本体から引き出された状態の図である。
【図３】本発明の実施例に係る電気掃除機の縦断面図であって、把持部を回動部から回動させた状態の図である。本体の内部を示した図である。
【図４】本発明の実施例に係るスイッチ検知の電気回路を概略的に示した図である。
【発明を実施するための形態】
【００１０】
本発明の実施形態について、図面を参照しながら説明する。
図１は、本発明の実施例に係る電気掃除機の全体を示す斜視図であって、把持部の連結部が本体に収納され状態の図である。図２は、本発明の実施例に係る電気掃除機の全体を示す斜視図であって、把持部の連結部が本体から引き出された状態の図である。図３は、本発明の実施例に係る電気掃除機の縦断面図であって、把持部を回動部から回動させた状態の図である。
本実施例の電気掃除機は、二次電池を電力源とする充電式スティックタイプの掃除機である。本実施例の掃除機は、掃除機本体１と、掃除機本体１に接続した吸口体２と、使用者が把持して掃除機を操作する把持部３ａと、把持部３ａに備えた使用者が操作する操作部３と、を含み構成されている。
【００１１】
把持部３ａは、図１に示す状態から図２に示す状態のように、位置を変更することが可能である。具体的に、本体１と把持部３ａは、パイプ状の連結部３ｂで連結されており、連結部３ｂが本体１に収納された状態（図１、図３参照）と、連結部３ｂが本体１から延出した状態（図２参照）と、の間で自在に把持部３ａの位置を調整できる。また、図３に示すように、回動部３ｃを中心に把持部３ａを回動させることで、図１に示す状態から図３に示す状態に、把持部３ａの位置を変更可能である。図３に示す状態は、把持部３ａが本体１の直上にある状態（図１の状態）から、本体１側に折り返して、本体１の所定範囲に亘って近接又は接触している状態である。図３の状態は、いわゆるハンディタイプの掃除機として使用する場合に適した形態である。図３のハンディタイプとして使用する場合、床の掃除に適した吸口体２を取り外して、本体１に回動可能に設けたブラシ体２ａを回動させて、吸引部先端に接続することで、ハンディブラシとして使用できる。
【００１２】
次に、操作部３について、図１から図４を参照して説明する。図４は、本発明の実施例に係るスイッチ検知の電気回路を概略的に示した図である。
操作部３を使用者が押下することで、各スイッチに対応した運転モードで掃除機本体１の電動送風機（モータ９）を駆動させて運転する。掃除機本体１の内部には、モータ９と、モータ９の回転数を制御するためのメイン基板（制御基板４）と、スイッチ基板５と、メイン基板４及びモータ９の電源となる電池７を有する。
【００１３】
次に、本実施例における掃除機の運転および停止の仕組みを、図４を参照して説明する。掃除機本体１を運転しない状態（待機状態）においては、電池７の消費電流を抑制するため、メイン基板４と電池７とを遮断しているＭＯＳ−ＦＥＴ  Ｑ８がｏｆｆの状態である。ここで、運転スイッチＳＷ１あるいはＳＷ２を押下すると、抵抗Ｒ３６，Ｒ１９，Ｒ８１に電流が流れると共に、抵抗Ｒ１００または抵抗Ｒ１０１上に電流が流れ、ＭＯＳ−ＦＥＴ  Ｑ８のＧ（ゲート）−Ｓ（ソース）間に電位差が発生し、ＭＯＳ−ＦＥＴ  Ｑ８がｏｎする。すると電池７のプラス端子であるＶ２４と、メイン基板４上の電源回路がＭＯＳ−ＦＥＴ  Ｑ８,抵抗Ｒ７５,ダイオードＤ１を通して接続され、電源回路のＶｃｃ（５Ｖの電源）が生成される。
【００１４】
Ｖｃｃによってメイン基板４上のマイコンＩＣ６が起動する。起動したマイコンＩＣ６は、トランジスタＱ７ベースに繋がるポートをＨｉ（約５Ｖ）出力し、ＭＯＳ−ＦＥＴ  Ｑ８のｏｎ状態を保持する。この動作によって、運転スイッチＳＷ１またはＳＷ２を離しても、電池７とメイン基板４の接続が保たれるため、マイコンＩＣ６の起動状態を保ち、スイッチを押下し続けなくても掃除機本体１を運転することができる。
【００１５】
運転スイッチＳＷ１及びＳＷ２には、固定抵抗Ｒ１００，Ｒ１０１がそれぞれ直列に接続されており、各運転スイッチを押下した時の抵抗値の違いによって、マイコンの取り込み用ポートに入力される電圧が異なる。例えば、運転スイッチＳＷ１は、運転を停止する「切」スイッチ、運転スイッチＳＷ２は運転を開始する「運転」スイッチとし、各抵抗値をＲ１００：１５ｋΩ、Ｒ１０１：９．１ｋΩ、Ｒ５９：３．３ｋΩ、Ｒ５８：１ｋΩとする。またマイコンＩＣ６の制御ソフトで、「運転」スイッチ押下の判定条件を「ＳＷ検知」のポート電圧で３．５〜３．６５Ｖとし、「切」スイッチ押下の判定条件を３．７〜３．９Ｖとする。「運転」スイッチを押下するとマイコンＩＣ６の「ＳＷ検知」ポートの電圧はＶｃｃ（５Ｖ）とＲ５９,Ｒ５８,Ｒ１０１の分圧で決定し、約３．６Ｖとなるため、前述したとおりマイコンが起動するとスイッチ判定を行い、運転を開始する。
【００１６】
また、運転中に「切」スイッチを押下すると、マイコンＩＣ６のポート電圧はＶｃｃ（５Ｖ）と抵抗Ｒ５９,Ｒ５８,Ｒ１００の分圧で約３．８Ｖとなり、マイコンにより「切」判定し、運転を停止する。本体の運転を停止したマイコンはトランジスタＱ７ベースに繋がるポートをＬｏ（約０Ｖ）出力し、ＭＯＳＦＥＴ  Ｑ８をｏｆｆさせる。これにより、電池７とメイン基板４は切断され、電源回路への供給がなくなることで、電池７の消費電流を低減し、長期間放置しても電池容量が消耗しにくい状態を保つことができる。
【００１７】
本実施例によれば、電圧検出回路に加え、運転スイッチと連動して電源回路が起動するような回路を抵抗とＭＯＳＦＥＴ等により構成する。
具体的に、掃除機本体と、該掃除機本体に接続された操作部と、該操作部の複数の運転スイッチと、前記掃除機本体内の電動送風機と、該電動送風機の回転数を制御する制御基板と、該制御基板のマイコンと、該制御基板及び前記電動送風機に電力を供給する充電式の電池と、を備え、前記マイコンをＯＦＦした待機状態に複数の前記運転スイッチのいずれかが押下された場合、前記制御基板と前記電池とが接続された状態となり前記マイコンが起動し、押下された前記運転スイッチに対応した押下信号を前記マイコンの単一ポートによりアナログ値で取り込む。これにより、未使用時は電池と制御基板は切断され、電源回路への供給がなくなることで、電池の消費電流を低減できる。
【００１８】
なお、以上で説明した複数のスイッチを備えた構成に替えて、スイッチ位置を変化させることに連動して、抵抗値が変化するスライドボリュームの構成であってもよい。実施例1の抵抗Ｒ１００,Ｒ１０１に該当する抵抗値をスライドボリュームによる単独のスイッチで実現できるため、スイッチの押し間違いによる誤動作を防ぐことができる。
【００１９】
また、スイッチ位置と抵抗値が線形に変化するスライドボリュームを使用して、マイコンによるスイッチ判定閾値を細分化すれば、閾値の数だけ異なる動作が可能となり、たとえば抵抗値とモータ回転数が線形に対応するよう閾値と制御を設けることで、使用者が、より直観的な操作をすることができる。
【符号の説明】
【００２０】
１…掃除機本体、２…吸口体、３…操作部、４…メイン基板（制御基板）、５…スイッチ基板、７…電池、９…モータ（電動送風機）、ＳＷ１，ＳＷ２…運転スイッチ
【図１】
2017189478.tif 000003
【図２】
2017189478.tif 000004
【図３】
2017189478.tif 000005
【図４】
2017189478.tif 000006